(57)【特許請求の範囲】
【請求項１】
無線データ通信のための方法であって、
受信された周波数ホッピング値に基づいて、周波数ホッピング・モードで動作するか否かを決定することと、
前記周波数ホッピング・モードで動作するように決定されたか否かに基づいて、第１の複数のプリコーディング・ベクトルを用いて、第１の複数のデータ送信を、第１のサブフレームにおいて、前記第１のサブフレームの２または複数のスロットを介して送信することと、
ここで、前記第１の複数のプリコーディング・ベクトルの１を越えるいくつかは、前記２または複数のスロットの各スロットで使用され、
前記周波数ホッピング・モードで動作しないときに、前記第１の複数のプリコーディング・ベクトルは、第１のサブフレームにおいて前記２または複数のスロットにわたって同じであり、
前記周波数ホッピング・モードで動作するときに、前記第１の複数のプリコーディング・ベクトルは第１のサブフレームにおいて前記２または複数のスロットで異なり、前記２または複数のスロットにおいて、第１のスロットで使用される１を越えるプリコーディング・ベクトルは第１の周波数に対応し、及び、前記２または複数のスロットにおいて、第２のスロットで使用される１を越えるプリコーディング・ベクトルは第２の周波数に対応し、
前記２または複数のスロットで異なる前記第１の複数のプリコーディング・ベクトル間を切り換えることと、
を備え、
ここで、前記切り換えることは、前記第１の周波数に対応する第１のスロットで使用される１を越えるプリコーディング・ベクトルの１つから、前記第２の周波数に対応する第２のスロットで使用される１を越えるプリコーディング・ベクトルの１つにホップさせることを有する、方法。
【請求項２】
前記決定することは、前記周波数ホッピング・モードで動作すると決定することを有する、請求項１に記載の方法。
【請求項３】
前記第１の複数のプリコーディング・ベクトルは、前記２または複数のスロットで直交している、請求項２に記載の方法。
【請求項４】
少なくともチャネル相関値に基づいて、少なくとも前記第１の複数のプリコーディング・ベクトルを選択すること、をさらに備える請求項２に記載の方法。
【請求項５】
少なくとも１または複数のパターンに基づいて、少なくとも前記第１の複数のプリコーディング・ベクトルを選択すること、をさらに備える請求項２に記載の方法。
【請求項６】
前記周波数ホッピング・モードで動作するように決定されたか否かに基づいて、前記第１の複数のプリコーディング・ベクトルとは異なる第２の複数のプリコーディング・ベクトルを用いて、第２の複数のデータ送信を、第２のサブフレームにおいて、前記第２のサブフレームの２または複数のスロットを介して送信することをさらに備え、
ここで、前記第２の複数のプリコーディング・ベクトルの１を越えるいくつかは、
前記第２のサブフレームの２または複数のスロットの各スロットで使用される、請求項１に記載の方法。
【請求項７】
前記第１の複数のデータ送信を実施することと、前記第２の複数のデータ送信を実施することとは、物理アップリンク共有チャネル（ＰＵＳＣＨ）を送信することを備える、請求項６に記載の方法。
【請求項８】
前記第１の複数のデータ送信を実施することと、前記第２の複数のデータ送信を実施することとは、前記第２の複数のプリコーディング・ベクトルに直交する前記第１の複数のプリコーディング・ベクトルに基づく直交送信を備える、請求項６に記載の方法。
【請求項９】
前記受信された周波数ホッピング値は、対応する物理ダウンリンク制御チャネル（ＰＤＣＣＨ）における周波数ホッピング・フィールド内に少なくとも１ビットを備える、請求項１に記載の方法。
【請求項１０】
送信ダイバーシティを用いて無線で送信するための装置であって、
受信された周波数ホッピング値に基づいて、周波数ホッピング・モードで動作するか否かを決定する手段と、
前記決定する手段が、周波数ホッピング・モードで動作するように決定したか否かに基づいて、第１の複数のプリコーディング・ベクトルを用いて、第１の複数のデータ送信を、第１のサブフレームにおいて、前記第１のサブフレームの２または複数のスロットを介して送信する手段とを備え、
ここで、前記第１の複数のプリコーディング・ベクトルの１を越えるいくつかは、前記２または複数のスロットの各スロットで使用され、
前記周波数ホッピング・モードで動作しないときに、前記第１の複数のプリコーディング・ベクトルは、第１のサブフレームにおいて前記２または複数のスロットにわたって同じであり、
前記周波数ホッピング・モードで動作するときに、前記第１の複数のプリコーディング・ベクトルは第１のサブフレームにおいて前記２または複数のスロットで異なり、前記２または複数のスロットにおいて、第１のスロットで使用される１を越えるプリコーディング・ベクトルは第１の周波数に対応し、及び、前記２または複数のスロットにおいて、第２のスロットで使用される１を越えるプリコーディング・ベクトルは第２の周波数に対応し、
前記決定する手段は、さらに、前記２または複数のスロットで異なる前記第１の複数のプリコーディング・ベクトルの中で選択する手段を備え、
ここで、前記選択する手段は、前記第１の周波数に対応する第１のスロットで使用される１を越えるプリコーディング・ベクトルの１つから、前記第２の周波数に対応する第２のスロットで使用される１を越えるプリコーディング・ベクトルの１つにホップさせるように構成される、装置。
【請求項１１】
前記決定する手段は、前記周波数ホッピング・モードで動作すると決定する、請求項１０に記載の装置。
【請求項１２】
前記第１の複数のプリコーディング・ベクトルは、前記２または複数のスロットで直交している、請求項１１に記載の装置。
【請求項１３】
前記決定する手段は、少なくともチャネル相関値に基づいて、少なくとも前記第１の複数のプリコーディング・ベクトルを選択するように構成されている、請求項１１に記載の装置。
【請求項１４】
前記決定する手段は、少なくとも１または複数のパターンに基づいて、少なくとも前記第１の複数のプリコーディング・ベクトルを選択するように構成されている、請求項１１に記載の装置。
【請求項１５】
前記送信する手段は、前記決定する手段が前記周波数ホッピング・モードで動作するように決定したか否かに基づいて、前記第１の複数のプリコーディング・ベクトルとは異なる第２の複数のプリコーディング・ベクトルを用いて、第２の複数のデータ送信を、第２のサブフレームにおいて、前記第２のサブフレームの２または複数のスロットを介して送信するように構成されて、
ここで、前記第２の複数のプリコーディング・ベクトルの１を越えるいくつかは、前記第２のサブフレームの２または複数のスロットの各スロットで使用される、請求項１０に記載の装置。
【請求項１６】
前記第１の複数のデータ送信を実施することと、前記第２の複数のデータ送信を実施することとは、物理アップリンク共有チャネル（ＰＵＳＣＨ）送信を備える、請求項１５に記載の装置。
【請求項１７】
前記第１の複数のデータ送信を実施することと、前記第２の複数のデータ送信を実施することとは、前記第２の複数のプリコーディング・ベクトルに直交する前記第１の複数のプリコーディング・ベクトルに基づく直交送信を備える、請求項１５に記載の装置。
【請求項１８】
前記受信された周波数ホッピング値は、対応する物理ダウンリンク制御チャネル（ＰＤＣＣＨ）における周波数ホッピング・フィールド内に少なくとも１ビットを備える、請求項１０に記載の装置。
【請求項１９】
送信ダイバーシティを用いて無線で送信するためのコンピュータ・プログラムを格納した非一時的なコンピュータ読取可能記憶媒体であって、
前記コンピュータ・プログラムは、
少なくとも１つのコンピュータに対して、受信された周波数ホッピング値に基づいて、周波数ホッピング・モードで動作するか否かを決定させるためのコードと、
前記少なくとも１つのコンピュータに対して決定させるためのコードが、前記周波数ホッピング・モードで動作するように決定したか否かに基づいて、前記少なくとも１つのコンピュータに対して、第１の複数のプリコーディング・ベクトルを用いて、第１の複数のデータ送信を、第１のサブフレームにおいて、前記第１のサブフレームの２または複数のスロットを介して送信させるためのコードと、
ここで、前記第１の複数のプリコーディング・ベクトルの１を越えるいくつかは、前記２または複数のスロットの各スロットで使用され、
前記周波数ホッピング・モードで動作しないときに、前記第１の複数のプリコーディング・ベクトルは、第１のサブフレームにおいて前記２または複数のスロットにわたって同じであり、
前記周波数ホッピング・モードで動作するときに、前記第１の複数のプリコーディング・ベクトルは第１のサブフレームにおいて前記２または複数のスロットで異なり、前記２または複数のスロットにおいて、第１のスロットで使用される１を越えるプリコーディング・ベクトルは第１の周波数に対応し、及び、前記２または複数のスロットにおいて、第２のスロットで使用される１を越えるプリコーディング・ベクトルは第２の周波数に対応し、
前記少なくとも１つのコンピュータに対して、前記２または複数のスロットで異なる前記第１の複数のプリコーディング・ベクトル間を切り換えさせるためのコードと、
を備え、
ここで、前記少なくとも１つのコンピュータに対して切り換えさせるためのコードは、前記第１の周波数に対応する第１のスロットで使用される１を越えるプリコーディング・ベクトルの１つから、前記第２の周波数に対応する第２のスロットで使用される１を越えるプリコーディング・ベクトルの１つにホップさせるように構成される、コンピュータ読取可能記憶媒体。
【請求項２０】
前記少なくとも１つのコンピュータに対して決定させるためのコードは、前記周波数ホッピング・モードで動作することを決定する、請求項１９に記載のコンピュータ読取可能記憶媒体。
【請求項２１】
前記第１の複数のプリコーディング・ベクトルは、前記２または複数のスロットで直交している、請求項２０に記載のコンピュータ読取可能記憶媒体。
【請求項２２】
前記コンピュータ・プログラムは、前記少なくとも１つのコンピュータに対して、少なくともチャネル相関値に基づいて、少なくとも前記第１の複数のプリコーディング・ベクトルを選択させるためのコードをさらに備える、請求項２０に記載のコンピュータ読取可能記憶媒体。
【請求項２３】
前記コンピュータ・プログラムは、前記少なくとも１つのコンピュータに対して、少なくとも１または複数のパターンに基づいて、少なくとも前記第１の複数のプリコーディング・ベクトルを選択させるためのコードをさらに備える、請求項２０に記載のコンピュータ読取可能記憶媒体。
【請求項２４】
前記コンピュータ・プログラムは、前記少なくとも１つのコンピュータに対して決定させるためのコードが、前記周波数ホッピング・モードで動作するように決定したか否かに基づいて、前記少なくとも１つのコンピュータに対して、前記第１の複数のプリコーディング・ベクトルとは異なる第２の複数のプリコーディング・ベクトルを用いて、第２の複数のデータ送信を、第２のサブフレームにおいて、前記第２のサブフレームの２または複数のスロットを介して送信させるためのコードをさらに備え、
ここで、前記第２の複数のプリコーディング・ベクトルの１を越えるいくつかは、前記第２のサブフレームの２または複数のスロットの各スロットで使用される、
請求項１９に記載のコンピュータ読取可能記憶媒体。
【請求項２５】
前記第１の複数のデータ送信と、前記第２の複数のデータ送信とは、物理アップリンク共有チャネル（ＰＵＳＣＨ）送信を備える、請求項２４に記載のコンピュータ読取可能記憶媒体。
【請求項２６】
前記第１の複数のデータ送信と、前記第２の複数のデータ送信とは、前記第２の複数のプリコーディング・ベクトルに直交する前記第１の複数のプリコーディング・ベクトルに基づく直交送信を備える、請求項２４に記載のコンピュータ読取可能記憶媒体。
【請求項２７】
前記受信された周波数ホッピング値は、対応する物理ダウンリンク制御チャネル（ＰＤＣＣＨ）における周波数ホッピング・フィールド内に少なくとも１ビットを備える、請求項１９に記載のコンピュータ読取可能記憶媒体。
【請求項２８】
アップリンク送信ダイバーシティをサポートするユーザ機器（ＵＥ）であって、
少なくとも１つのプロセッサと、
前記少なくとも１つのプロセッサに接続されたメモリとを備え、
前記少なくとも１つのプロセッサは、
受信された周波数ホッピング値に基づいて、周波数ホッピング・モードで動作するか否かを決定し、
前記少なくとも１つのプロセッサが、前記周波数ホッピング・モードで動作するように決定したか否かに基づいて、第１の複数のプリコーディング・ベクトルを用いて、第１の複数のデータ送信を、第１のサブフレームにおいて、前記第１のサブフレームの２または複数のスロットを介して送信し、
ここで、前記第１の複数のプリコーディング・ベクトルの１を越えるいくつかは、前記２または複数のスロットの各スロットで使用され、
前記周波数ホッピング・モードで動作しないときに、前記第１の複数のプリコーディング・ベクトルは、第１のサブフレームにおいて前記２または複数のスロットにわたって同じであり、
前記周波数ホッピング・モードで動作するときに、前記第１の複数のプリコーディング・ベクトルは第１のサブフレームにおいて前記２または複数のスロットで異なり、前記２または複数のスロットにおいて、第１のスロットで使用される１を越えるプリコーディング・ベクトルは第１の周波数に対応し、及び、前記２または複数のスロットにおいて、第２のスロットで使用される１を越えるプリコーディング・ベクトルは第２の周波数に対応し、
前記２または複数のスロットで異なる前記第１の複数のプリコーディング・ベクトル間を切り換えるように構成され、
ここで、前記切り換えることは、前記第１の周波数に対応する第１のスロットで使用される１を越えるプリコーディング・ベクトルの１つから、前記第２の周波数に対応する第２のスロットで使用される１を越えるプリコーディング・ベクトルの１つにホップさせることを有する、ユーザ機器。
【請求項２９】
前記少なくとも１つのプロセッサは、前記周波数ホッピング・モードで動作すると決定する、請求項２８に記載のユーザ機器。
【請求項３０】
前記第１の複数のプリコーディング・ベクトルは、前記２または複数のスロットで直交している、請求項２９に記載のユーザ機器。
【請求項３１】
前記少なくとも１つのプロセッサはさらに、少なくともチャネル相関値に基づいて、少なくとも前記第１の複数のプリコーディング・ベクトルを選択するように構成された、請求項２９に記載のユーザ機器。
【請求項３２】
前記少なくとも１つのプロセッサはさらに、少なくとも１または複数のパターンに基づいて、少なくとも前記第１の複数のプリコーディング・ベクトルを選択するように構成された、請求項２９に記載のユーザ機器。
【請求項３３】
前記少なくとも１つのプロセッサはさらに、前記少なくとも１つのプロセッサが、前記周波数ホッピング・モードで動作すると決定したか否かに基づいて、前記第１の複数のプリコーディング・ベクトルとは異なる第２の複数のプリコーディング・ベクトルを用いて、第２の複数のデータ送信を、第２のサブフレームにおいて、前記第２のサブフレームの２または複数のスロットを介して送信するように構成され、
ここで、前記第２の複数のプリコーディング・ベクトルの１を越えるいくつかは、前記第２のサブフレームの２または複数のスロットの各スロットで使用される、請求項２８に記載のユーザ機器。
【請求項３４】
前記第１の複数のデータ送信と、前記第２の複数のデータ送信とは、物理アップリンク共有チャネル（ＰＵＳＣＨ）送信を備える、請求項３３に記載のユーザ機器。
【請求項３５】
前記第１の複数のデータ送信と、前記第２の複数のデータ送信とは、前記第２の複数のプリコーディング・ベクトルに直交する前記第１の複数のプリコーディング・ベクトルに基づく直交送信を備える、請求項３３に記載のユーザ機器。
【請求項３６】
前記受信された周波数ホッピング値は、対応する物理ダウンリンク制御チャネル（ＰＤＣＣＨ）における周波数ホッピング・フィールド内に少なくとも１ビットを備える、請求項２８に記載のユーザ機器。
【発明の詳細な説明】
【関連出願に対する相互参照】
【０００１】
本願は、本願の譲受人に譲渡された、２０１０年１１月９日に出願された「アップリンク共有チャネルにおいてプリコーディング・ベクトル切換を用いること」（USING PRECODING VECTOR SWITCHING IN UPLINK SHARED CHANNEL）と題された米国仮出願６１／４１１，９１２と、２０１１年１０月２６日に出願された「アップリンク共有チャネルにおいてプリコーディング・ベクトル切換を用いること」（USING PRECODING VECTOR SWITCHING IN UPLINK SHARED CHANNEL）と題された米国出願１３／２８２，４０６との利益を主張する。これらの内容は、本明細書においてその全体が参照によって明確に組み込まれる。
【技術分野】
【０００２】
本開示のある態様は、一般に、無線通信システムに関し、さらに詳しくは、アップリンク通信において送信ダイバーシティを提供することに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。例において、基地局は、多くのダウンリンク・リソースおよび／またはアップリンク・リソースをＵＥへ割り当てうる。さらに、基地局は、通信スループットを向上するために、ＵＥが、複数の物理アンテナまたは仮想アンテナまたはその他のラジオ・リソースを用いて、ダウンリンクまたはアップリンクによって基地局を通信するため複数のキャリアを確立することを可能にしうる。
【発明の概要】
【０００５】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００６】
１または複数の態様および対応するその開示にしたがって、本開示は、複数の物理アンテナ・ポートまたは仮想アンテナ・ポートを介して基地局へ送信される通信に送信ダイバーシティ・スキームを適用することに関連するさまざまな態様を記述する。例えば、このようなデータ信号を受信する際における信頼性を向上させるために、１または複数のプリコーディング・ベクトルまたはプリコーディング行列にしたがって、複数のアンテナを介して送信されうる。例では、データ・チャネル送信は、スロットで送信される信号のための送信ダイバーシティを提供するために、サブフレームのスロットにわたって周波数ホッピングを利用しうる。例えば、これは、さらなる送信ダイバーシティを提供するために周波数ホッピングも利用される各スロットのために、異なるプリコーディング・ベクトルを利用することを含みうる。さらに、周波数ホッピングおよび／または異なるプリコーディング・ベクトルを使用することを決定することは、受信されたインジケータに基づきうる。
【０００７】
例によれば、受信された周波数ホッピング値に基づいて、周波数ホッピング・モードで動作するか否かを決定することと、周波数ホッピング・モードで動作するように決定されたか否かに基づいて、第１の複数のプリコーディング・ベクトルを用いて、第１の複数のデータ送信を、第１のサブフレームにおいて、第１のサブフレームの１または複数のスロットによって送信することとを含む、無線データ通信のための方法が提供される。
【０００８】
別の例では、送信ダイバーシティを使用して無線送信するための装置が提供される。この装置は、受信された周波数ホッピング値に基づいて、周波数ホッピング・モードで動作するか否かを決定する手段と、この決定する手段が、周波数ホッピング・モードで動作するように決定したか否かに基づいて、第１の複数のプリコーディング・ベクトルを用いて、第１の複数のデータ送信を、第１のサブフレームにおいて、第１のサブフレームの１または複数のスロットによって送信する手段とを含む。
【０００９】
さらに、例えば、少なくとも１つのコンピュータに対して、受信された周波数ホッピング値に基づいて、周波数ホッピング・モードで動作するか否かを決定させるためのコードを有する非一時的なコンピュータ読取可能な媒体を含む、送信ダイバーシティを用いて無線送信するためのコンピュータ・プログラム製品が提供される。このコンピュータ読取可能な媒体はさらに、少なくとも１つのコンピュータに対して決定させるためのコードが、周波数ホッピング・モードで動作するように決定したか否かに基づいて、少なくとも１つのコンピュータに対して、第１の複数のプリコーディング・ベクトルを用いて、第１の複数のデータ送信を、第１のサブフレームにおいて、第１のサブフレームの１または複数のスロットによって送信させるためのコードを含む。
【００１０】
また別の例では、アップリンク送信ダイバーシティをサポートするユーザ機器（ＵＥ）が提供される。このＵＥは、少なくとも１つのプロセッサと、少なくとも１つのプロセッサに接続されたメモリとを含む。少なくとも１つのプロセッサは、受信された周波数ホッピング値に基づいて、周波数ホッピング・モードで動作するか否かを決定し、少なくとも１つのプロセッサが、周波数ホッピング・モードで動作するように決定したか否かに基づいて、第１の複数のプリコーディング・ベクトルを用いて、第１の複数のデータ送信を、第１のサブフレームにおいて、第１のサブフレームの１または複数のスロットによって送信するように構成されうる。
【００１１】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１２】
開示された態様は、以下において、同一符号が同一要素を示す添付図面と連携して説明され、開示された態様を、限定することなく例示するために提供される。
【図１】図１は、テレコミュニケーション・システムの例を概念的に例示するブロック図である。
【図２】図２は、テレコミュニケーション・システムにおけるダウンリンク・フレーム構造の例を概念的に例示するブロック図である。
【図３】図３は、本開示の１つの態様にしたがって構成された基地局／ｅＮＢとＵＥとの設計を概念的に例示するブロック図である。
【図４Ａ】図４Ａは、連続的なキャリア・アグリゲーション・タイプを開示する。
【図４Ｂ】図４Ｂは、不連続なキャリア・アグリゲーション・タイプを開示する。
【図５】図５は、ＭＡＣレイヤ・データ・アグリゲーションを開示する。
【図６】図６は、マルチ・キャリア構成においてラジオ・リンクを制御する方法を例示するブロック図である。
【図７】図７は、リソース・ブロックの例のブロック図である。
【図８】図８は、無線通信の方法のフローチャート表示である。
【図９】図９は、無線通信の方法のフローチャート表示である。
【図１０】図１０は、無線通信装置の一部分のブロック図表示である。
【発明を実施するための形態】
【００１３】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１４】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭＡ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ｃｄｍａ２０００およびＵＭＢは、「第３世代パートナシップ計画２」（３ＧＰＰ２）と命名された団体からの文書に記載されている。本明細書において記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００１５】
図１は、ＬＴＥネットワークでありうる無線通信ネットワーク１００を示す。無線ネットワーク１００は、多くのイボルブド・ノードＢ（ｅＮＢ）１１０およびその他のネットワーク・エンティティを含みうる。ｅＮＢは、ユーザ機器（ＵＥ）と通信する局であり、基地局、ノードＢ、アクセス・ポイント等とも称されうる。おのおののｅＮＢ１１０は、特定の地理的エリアのために通信有効通信範囲エリアを提供しうる。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００１６】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ、住宅内のユーザのためのＵＥ等）によって制限されたアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢと称されうる。図１に示す例では、ｅＮＢ１１０ａ，１１０ｂ，１１０ｃは、マクロ・セル１０２ａ，１０２ｂ，１０２ｃそれぞれのためのマクロｅＮＢでありうる。ｅＮＢ１１０ｘは、ピコ・セル１０２ｘのためのピコｅＮＢでありうる。そして、ｅＮＢ１１０ｙ，１１０ｚは、それぞれフェムト・セル１０２ｙ，１０２ｚのためのフェムトｅＮＢである。ｅＮＢは、１または複数（例えば３つ）のセルをサポートしうる。
【００１７】
無線ネットワーク１００はさらに、中継局をも含みうる。中継局は、データおよび／またはその他の情報の送信を上流局（例えば、ｅＮＢまたはＵＥ）から受信し、データおよび／またはその他の情報の送信を下流局（例えば、ＵＥまたはｅＮＢ）へ送信する局である。中継局はまた、他のＵＥのための送信を中継するＵＥでもありうる。図１に示す例では、中継局１１０ｒは、ｅＮＢ１１０ａとＵＥ１２０ｒとの間の通信を容易にするために、ｅＮＢ１１０ａおよびＵＥ１２０ｒと通信しうる。中継局はまた、リレーｅＮＢ、リレー等とも称されうる。
【００１８】
無線ネットワーク１００はまた、例えば、マクロｅＮＢ、ピコｅＮＢ、フェムトｅＮＢ、リレー等のような異なるタイプのｅＮＢを含むヘテロジニアスなネットワークでもありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、２０ワット）を有する一方、ピコｅＮＢ、フェムトｅＮＢ、およびリレーは、低い送信電力レベル（例えば、１ワット）を有しうる。
【００１９】
無線ネットワーク１００は、同期動作または非同期動作をサポートしうる。同期動作の場合、ｅＮＢは、同じようなフレーム・タイミングを有し、異なるｅＮＢからの送信は、時間的にほぼ同期しうる。非同期動作の場合、ｅＮＢは、異なるフレーム・タイミングを有し、異なるｅＮＢからの送信は、時間的に同期しない場合がある。ここに記載された技術は、同期動作および非同期動作の両方のために使用されうる。
【００２０】
ネットワーク・コントローラ１３０は、ｅＮＢのセットに接続しており、これらｅＮＢのための調整および制御を提供しうる。ネットワーク・コントローラ１３０は、バックホールを介してｅＮＢ１１０と通信しうる。ｅＮＢ１１０はまた、例えば、ダイレクトに、または、無線または有線のバックホールを介して非ダイレクトに、互いに通信しうる。
【００２１】
無線ネットワーク１００の全体にわたって、多くのＵＥ１２０が分布しうる。そして、おのおののＵＥは、固定式または移動式でありうる。ＵＥは、デバイス、端末、移動局、加入者ユニット、局等とも称されうる。ＵＥは、セルラ電話、携帯情報端末（ＰＤＡ）、無線モデム（または、その他のテザー・デバイス）、無線通信デバイス、ハンドヘルド・デバイス、ラップトップ・コンピュータ、タブレットまたはネットブック・コンピュータ、コードレス電話、無線ローカル・ループ（ＷＬＬ）局等でありうる。ＵＥは、マクロｅＮＢ、ピコｅＮＢ、フェムトｅＮＢ、リレー等と通信することができうる。図１では、両矢印を持つ実線が、ＵＥと、ダウンリンクおよび／またはアップリンクでＵＥにサービス提供するように指定されたｅＮＢであるサービス提供ｅＮＢとの間の所望の送信を示す。両矢印を持つ破線は、ＵＥとｅＮＢとの間の潜在的な干渉送信を示す。
【００２２】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭまたは類似の多重化スキームを用いて周波数領域で、ＳＣ−ＦＤＭまたは類似の多重化スキームを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０メガヘルツ（ＭＨｚ）のシステム帯域幅についてそれぞれ１２８，２５６，５１２，１０２４，２０４８にそれぞれ等しい。システム帯域幅はまた、サブ帯域へ分割されうる。例えば、サブ帯域は、１．０８ＭＨｚをカバーし、１．２５，２．５，５，１０，２０ＭＨｚのシステム帯域幅についてそれぞれ１，２，４，８，１６のサブ帯域が存在しうる。
【００２３】
図２は、ＬＴＥにおいて使用されるダウンリンク・フレーム構造２００を示す。ダウンリンクの送信タイムラインは、例えばラジオ・フレーム２０２のようなラジオ・フレームの単位に分割されうる。おのおののラジオ・フレームは、（例えば１０ミリ秒（ｍｓ）のような）予め定められた持続時間を有し、例えばサブフレーム０  ２０４のような、０乃至９のインデクスを付された１０個のサブフレームへ分割されうる。各サブフレームは、例えばスロット０  ２０６およびスロット１  ２０８のような２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、７つのシンボル期間を、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２４】
ＬＴＥでは、ｅＮＢは、ｅＮＢにおける各セルについて、一次同期信号（ＰＳＳ）と二次同期信号（ＳＳＳ）とを送信しうる。図２に示すように、一次同期信号および二次同期信号は、通常のサイクリック・プレフィクスを持つ各ラジオ・フレームのサブフレーム０，５のおのおのにおいて、シンボル期間６およびシンボル期間５でそれぞれ送信されうる。これら同期信号は、セル検出および獲得のためにＵＥによって使用されうる。ｅＮＢはまた、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２５】
図２では、最初のシンボル期間の全体が示されているが、ｅＮＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅＮＢは、おのおののサブフレームの最初のＭ個のシンボル期間（図２では、Ｍ＝３）において、物理ハイブリッド自動反復／要求（ＨＡＲＱ）インジケータ・チャネル（ＰＨＩＣＨ）および物理ダウンリンク制御チャネル（ＰＤＣＣＨ）を送信しうる。ＰＨＩＣＨは、ハイブリッド自動再送信（ＨＡＲＱ）をサポートするための情報を伝送しうる。ＰＤＣＣＨは、ＵＥのためのリソース割当に関する情報と、ダウンリンク・チャネルのための制御情報とを伝送しうる。図２における第１のシンボル期間には図示されていないが、ＰＤＣＣＨとＰＨＩＣＨも第１のシンボル期間に含まれることが理解される。同様に、ＰＨＩＣＨとＰＤＣＣＨは、図２には図示されていないが、第２のシンボル期間と第３のシンボル期間との両方にも存在する。ｅＮＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。さまざまな信号およびチャネルは、ＬＴＥ構成に対応しうる。
【００２６】
ｅＮＢは、ｅＮＢによって使用されるシステム帯域幅の中央（例えば、中央の１．０８メガヘルツ（ＭＨｚ））でＰＳＳ、ＳＳＳ、およびＰＢＣＨを送信しうる。ｅＮＢは、これらのチャネルが送信される各シンボル期間におけるシステム帯域幅全体でＰＣＦＩＣＨおよびＰＨＩＣＨを送信しうる。ｅＮＢは、システム帯域幅のある部分において、ＵＥのグループにＰＤＣＣＨを送信しうる。ｅＮＢは、システム帯域幅の特定の部分で、特定のＵＥに、ＰＤＳＣＨを送信しうる。ｅＮＢは、すべてのＵＥへブロードキャスト方式でＰＳＳ、ＳＳＳ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２７】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。おのおののシンボル期間において、基準信号のために使用されないリソース要素は、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせが、ＰＤＣＣＨのために許容されうる。
【００２８】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせの数よりも少ない。ｅＮＢは、ＵＥが探索する組み合わせのうちの何れかのＵＥにＰＤＣＣＨを送信しうる。
【００２９】
ＵＥは、複数のｅＮＢの有効通信範囲内に存在しうる。これらのｅＮＢのうちの１つが、ＵＥにサービス提供するために選択されうる。サービス提供するｅＮＢは、例えば受信電力、経路喪失、信号対雑音比（ＳＮＲ）等のようなさまざまな基準に基づいて選択されうる。さらに、アップリンクでｅＮＢと通信するために、ＵＥが、同様のサブフレームおよびスロット構造を利用しうることが認識されるべきである。例えば、ＵＥは、物理アップリンク制御チャネル（ＰＵＣＣＨ）、物理アップリンク共有チャネル（ＰＵＳＣＨ）、サウンディング基準信号（ＳＲＳ）、またはその他の通信を、サブフレームの１または複数のスロットにおける１または複数のシンボル期間で送信しうる。
【００３０】
図３は、図１における基地局／ｅＮＢのうちの１つ、およびＵＥのうちの１つでありうる、基地局／ｅＮＢ１１０とＵＥ１２０との設計のブロック図を示す。制約された関連性のシナリオの場合、基地局１１０は、図１におけるマクロｅＮＢ１１０ｃでありうる。そして、ＵＥ１２０は、ＵＥ１２０ｙでありうる。基地局１１０はさらに、その他いくつかのタイプの基地局でもありうる。基地局１１０は、アンテナ３３４ａ乃至３３４ｔを備え、ＵＥ１２０は、アンテナ３５２ａ乃至３５２ｒを備えうる。
【００３１】
基地局１１０では、送信プロセッサ３２０が、データ・ソース３１２からデータを、コントローラ／プロセッサ３４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ３２０は、データ・シンボルおよび制御シンボルをそれぞれ取得するために、データ情報および制御情報を処理（例えば、符号化およびシンボル・マップ）しうる。プロセッサ３２０はさらに、例えばＰＳＳ、ＳＳＳのための基準シンボルや、セル特有の基準信号を生成しうる。送信（ＴＸ）複数入力複数出力（ＭＩＭＯ）プロセッサ３３０は、適用可能であれば、データ・シンボル、制御シンボル、および／または、基準シンボルに空間処理（例えば、プリコーディング）を実行し、出力シンボル・ストリームを変調器（ＭＯＤ）３３２ａ乃至３３２ｔに提供しうる。おのおのの変調器３３２は、（例えば、ＯＦＤＭ等のために）それぞれの出力シンボル・ストリームを処理して、出力サンプル・ストリームを得る。おのおのの変調器３３２はさらに、出力サンプル・ストリームを処理（例えば、アナログ変換、増幅、フィルタ、およびアップコンバート）し、ダウンリンク信号を取得する。変調器３３２ａ乃至３３２ｔからのダウンリンク信号は、アンテナ３３４ａ乃至３３４ｔによってそれぞれ送信されうる。
【００３２】
ＵＥ１２０では、アンテナ３５２ａ乃至３５２ｒが、基地局１１０からダウンリンク信号を受信し、受信した信号を、復調器（ＤＥＭＯＤ）３５４ａ乃至３５４ｒへそれぞれ提供しうる。おのおのの復調器３５４は、受信したそれぞれの信号を調整（例えば、フィルタ、増幅、ダウンコンバート、およびデジタル化）して、入力サンプルを取得しうる。おのおのの復調器３５４はさらに、（例えば、ＯＦＤＭ等のため）これら入力サンプルを処理して、受信されたシンボルを取得しうる。ＭＩＭＯ検出器３５６は、すべての復調器３５４ａ乃至３５４ｒから受信したシンボルを取得し、適用可能である場合、これら受信されたシンボルに対してＭＩＭＯ検出を実行し、検出されたシンボルを提供しうる。受信プロセッサ３５８は、検出されたシンボルを処理（例えば、復調、デインタリーブ、および復号）し、ＵＥ１２０のために復号されたデータをデータ・シンク３６０に提供し、復号された制御情報をコントローラ／プロセッサ３８０へ提供しうる。
【００３３】
アップリンクでは、ＵＥ１２０において、送信プロセッサ３６４が、データ・ソース３６２から（例えばＰＵＳＣＨのための）データを、コントローラ／プロセッサ３８０から（例えばＰＵＣＣＨのための）制御情報を、受信して処理しうる。プロセッサ３６４はさらに、基準信号のための基準シンボルを生成しうる。送信プロセッサ３６４からのシンボルは、適用可能であれば、ＴＸ  ＭＩＭＯプロセッサ３６６によってプリコードされ、さらに、（例えば、ＳＣ−ＦＤＭ等のために）復調器３５４ａ乃至３５４ｒによって処理され、基地局１１０へ送信される。基地局１１０では、ＵＥ１２０からのアップリンク信号が、アンテナ３３４によって受信され、変調器３３２によって処理され、適用可能な場合にはＭＩＭＯ検出器３３６によって検出され、さらに、受信プロセッサ３３８によって処理されて、ＵＥ１２０によって送信された復号されたデータおよび制御情報が取得される。プロセッサ３３８は、復号されたデータをデータ・シンク３３９に提供し、復号された制御情報をコントローラ／プロセッサ３４０へ提供しうる。
【００３４】
コントローラ／プロセッサ３４０，３８０は、基地局１１０およびＵＥ１２０それぞれにおける動作を指示しうる。基地局１１０におけるプロセッサ３４０および／またはその他のプロセッサおよびモジュールは、本明細書で説明された技術のためのさまざまな処理の実行または指示を行いうる。ＵＥ１２０におけるプロセッサ３８０および／またはその他のプロセッサおよびモジュールは、図６，８，９に例示された機能ブロック、および／または、本明細書に記載された技術のためのその他の処理の実行または実行の指示を行いうる。さらに、例えば、プロセッサ３８０は、本明細書に記載された態様を実行するために、図１０に例示されたモジュールを備えうるか、少なくとも、動作可能に接続されうる。メモリ３４２，３８２は、基地局１１０およびＵＥ１２０それぞれのためのデータおよびプログラム・コードを格納しうる。これらは、図６，８，９における方法、図１０におけるモジュール等を実行するための命令群を含みうる。スケジューラ３４４は、ダウンリンクおよび／またはアップリンクでのデータ送信のためにＵＥをスケジュールしうる。
【００３５】
（キャリア・アグリゲーション）  
ＬＴＥアドバンストＵＥは、各方向における送信のために使用される、最大で合計１００ＭＨｚのキャリア・アグリゲーション（５成分のキャリア）に割り当てられた最大２０ＭＨｚ帯域幅のスペクトルを用いうる。一般に、アップリンクではダウンリンクよりも少ないトラフィックしか送信されないので、アップリンク・スペクトル割当は、ダウンリンク・スペクトル割当よりも小さくなりうる。例えば、２０ＭＨｚがアップリンクに割り当てられた場合、ダウンリンクは１００ＭＨｚを割り当てられうる。これらの非対称なＦＤＤ割当は、スペクトルを節約し、ブロードバンド加入者による一般的に非対称な帯域幅利用のために良く適合しうるが、その他の割当も可能でありうる。
【００３６】
（キャリア・アグリゲーション・タイプ）  
ＬＴＥアドバンスト・モバイル・システムの場合、２つのタイプのキャリア・アグリゲーション（ＣＡ）方法、すなわち連続的なＣＡと不連続なＣＡとが提案されている。これらの例は図４Ａおよび図４Ｂに例示されている。利用可能な複数の成分キャリア４１０が、周波数帯域に沿って分離されている場合、不連続なＣＡが生じる（図４Ｂ）。一方、利用可能な複数の成分キャリア４００が、互いに隣接している場合、連続的なＣＡが生じる（図４Ａ）。図示されるように、例えば、連続的なＣＡでは、キャリア１  ４０２、キャリア２  ４０４、およびキャリア３  ４０６が、周波数において隣接する。不連続なＣＡでは、キャリア１  ４１２、キャリア２  ４１４、およびキャリア３  ４１６は、周波数において隣接しない。ＬＴＥアドバンストＵＥの１つのユニットにサービス提供するために、不連続なＣＡと連続的なＣＡとの両方が、複数のＬＴＥ／成分キャリアをアグリゲートする。
【００３７】
ＬＴＥアドバンストＵＥでは、不連続なＣＡを用いて、複数のＲＦ受信ユニットおよび複数のＦＦＴが配置されうる。なぜなら、これらキャリアは、周波数帯域に沿って分離されているからである。不連続なＣＡは、分離された複数のキャリアによるデータ送信を、広い周波数範囲にわたってサポートするので、伝搬経路喪失、ドップラ・シフト、およびその他のラジオ・チャネル特性が、異なる周波数帯域において大きく変動しうる。
【００３８】
したがって、不連続なＣＡアプローチにおけるブロードバンド・データ送信をサポートするために、異なる成分キャリアのための符号化、変調、および送信電力を適応的に調節する方法が使用されうる。例えば、エンハンスト・ノードＢ（ｅＮＢ）が、各成分キャリアにおいて固定された送信電力を有するＬＴＥアドバンスト・システムでは、各成分キャリアの有効な通信範囲またはサポート可能な変調および符号化は異なりうる。
【００３９】
（データ・アグリゲーション・スキーム）  
図５は、インターナショナル・モバイル・テレコミュニケーション（ＩＭＴ）アドバンスト・システムまたは類似のシステムのため、媒体アクセス制御（ＭＡＣ）レイヤにおける異なる成分キャリア５０２，５０４，５０６からの送信ブロック（ＴＢ）（図５）をアグリゲートするデータ・アグリゲーション５００を実行することを例示する。ＭＡＣレイヤ・データ・アグリゲーションを用いて、各成分キャリアは、ＭＡＣレイヤ内に、自己の独立したハイブリッド自動反復要求（ＨＡＲＱ）エンティティ５０８，５１０，５１２を、物理レイヤ内に、自己の送信設定パラメータ（例えば、送信電力、変調および復号スキーム、および複数アンテナ構成）を有する。同様に、物理レイヤでは、各成分キャリアのために、１つのＨＡＲＱエンティティ５１４，５１６，５１８が提供されうる。
【００４０】
（制御シグナリング）  
一般に、複数の成分キャリアのための制御チャネル・シグナリングを展開するために、３つの異なるアプローチが存在する。第１のアプローチは、ＬＴＥシステムにおける制御構造を若干修正することを含む。ここでは、各成分キャリアは、自身の符号化制御チャネルを与えられる。
【００４１】
第２の方法は、異なる成分キャリアの制御チャネルを統合的に符号化することと、これら制御チャネルを、専用の成分キャリア内に配置することと、を含む。複数の成分キャリアのための制御情報は、この専用の制御チャネルにおけるシグナリング・コンテンツとして統合されうる。この結果、ＣＡにおけるシグナリング・オーバヘッドが低減されながら、ＬＴＥシステムにおける制御チャネル構造との後方互換性が維持される。
【００４２】
異なる成分キャリアのための複数の制御チャネルが、統合的に符号化され、その後、第３のＣＡ方法によって生成された周波数帯域全体にわたって送信される。このアプローチは、ＵＥ側における高い電力消費を犠牲にして、制御チャネルにおける高い復号パフォーマンスおよび低いシグナリング・オーバヘッドを提供する。しかしながら、この方法は、ＬＴＥシステムと互換性をもたない。
【００４３】
（ハンドオーバ制御）  
ＣＡがＩＭＴアドバンストＵＥのために使用される場合、複数のセルにわたるハンドオーバ手順中に、送信連続性をサポートすることが望ましい。しかしながら、到来するＵＥのため、特定のＣＡ構成要件およびサービス品質（ＱｏＳ）要件を持つ十分なシステム・リソース（例えば、良好な送信品質を持つ成分キャリア）を確保することは、次のｅＮＢのために魅力的でありうる。この理由は、２つ（またはそれ以上）の隣接するセル（ｅＮＢ）のチャネル条件が、特定のＵＥについて異なりうるからである。１つのアプローチでは、ＵＥは、各隣接セルにおいて、１つの成分キャリアのパフォーマンスしか測定しない。これは、ＬＴＥシステムにおけるものと同様の測定遅れ、複雑さ、およびエネルギ使用量を与える。対応するセルにおけるその他の成分キャリアのパフォーマンスの推定値は、１つの成分キャリアの測定結果に基づきうる。この推定値に基づいて、ハンドオーバ決定および送信構成が決定されうる。
【００４４】
図６は、一例にしたがって、物理チャネルをグループ化することによって、マルチ・キャリア無線通信システムにおいてラジオ・リンクを制御するための方法６００を例示する。図示するように、この方法は、６０２において、少なくとも２つのキャリアからの制御機能を、１つのキャリアにアグリゲートして、一次キャリアと、１または複数の関連付けられた二次キャリアとを生成することを含む。次に、ブロック６０４において、一次キャリアと、各二次キャリアとのための通信リンクが確立される。その後、通信は、ブロック６０６において、一次キャリアに基づいて制御される。
【００４５】
（マルチ・キャリア構成における送信ダイバーシティ）  
送信ダイバーシティ・スキームは、マルチ・アンテナ無線通信システムにおけるデータ・チャネル送信のために定義されうる。送信ダイバーシティは例えば、フェージング、停電、および回路故障の影響を克服することを支援するために使用されうる。送信ダイバーシティは、ラジオ信号を用いる。このラジオ信号は、独立である２またはそれ以上のソースからの発信されており、かつ、通信するために、同一、または、少なくとも実質的に同一の情報ベアリング信号を用いて変調されている。さらに、ラジオ信号の送信特性が、所与の期間において変動しうる。ダイバーシティ送信を用いる場合における受信信号の向上は、例えば回路停電および故障のみならず、信号のフェージング特性の独立性に依存する。ＬＴＥでは、送信ダイバーシティは、２つおよび４つの送信アンテナ構成による送信のために、１つのデータ・ストリームについて定義されうる。例えば、１つの伝送ブロック巡回冗長検査（ＣＲＣ）が各データ・ストリームのために使用される場合、データ・ストリームは、コードワードとも称されうる。ＬＴＥにおける１つのレイヤは、データの１つのストリームを称しうる。送信のランクは、送信されたレイヤの数に等しい。アンテナ・ポートの数は、レイヤの数以上であることができ、これは、コードワードの数以上でありうる。
【００４６】
伝送ブロックに対応する変調シンボルは、コードブック・ベースのプリコーディングを用いて、ＮＬ個のレイヤへマップされうる。ここでＮは、送信アンテナの数であり、Ｌは、送信アンテナ毎に送信されるレイヤの数である。レイヤは、アンテナ・ポートへマップされうる。さらに、アンテナ・ポートは、物理アンテナ・ポートおよび／または仮想アンテナ・ポートに対応しうる。ＬＴＥでは、最大で４つのアンテナ・ポートと、最大で４つのレイヤとがある。これは、セル内に最大で４つのセル特有基準信号があるという事実と、コードブック・ベースのプリコーディングが、チャネル推定のために、セル特有の基準信号に依存することによる。
【００４７】
ある例において、データ・チャネル通信は、１または複数の送信ダイバーシティ・スキームを用いて送信されうる。例えば、ＬＴＥでは、ＰＵＳＣＨ通信は、プリコーディング・ベクトル切換（ＰＶＳ）を用いて送信されうる。例えば、ＵＥ１２０のようなＵＥは、所与の期間において、信号を送信するために、（例えば、プリコーディング行列における）複数のプリコーディング・ベクトルを利用しうる。一例において、複数のプリコーディング・ベクトルはおのおの、ＵＥ１２０の物理送信アンテナまたは仮想送信アンテナに対応しうる。
【００４８】
ＵＥ１２０は、一例において、以下のようにＰＶＳを使用しうる。ＵＥ１２０は、少なくとも、サブフレームにおける第１のスロット送信のために、第１の複数のプリコーディング・ベクトルを選択しうる一方、恐らくは、同じサブフレームにおける第２のスロット送信のために、第２の複数のプリコーディング・ベクトルを選択する。例えば、ＵＥ１２０が、周波数ホッピングを用いて動作する場合、ＵＥ１２０は、第１の複数のプリコーディング・ベクトルと異なるものとして、第２のスロットのために、第２の複数のプリコーディング・ベクトルを選択あるいは用いることによって、スロット境界を越えてプリコーディング・ベクトルをホップさせうる。ＵＥ１２０が周波数ホッピング無しで動作する場合、ＵＥ１２０は、サブフレーム内の両スロットのために、同じプリコーディング・ベクトルを使用しうる。一例において、送信をプリコードするために、第１および第２の複数のプリコーディング・ベクトルを用いることにより、送信が生じる有効な周波数チャネルは、スロットにわたって独立するようになりうるという意味において、直交化された送信という結果となりうる。この観点において、一例では、プリコーディング・ベクトルは、直交しうる。何れの場合も、一例では、さらなる送信ダイバーシティを提供するために、ＵＥ１２０は、その後のサブフレームにおいて、別の複数のプリコーディング・ベクトルを利用しうる。
【００４９】
周波数ホッピングは、信号を送信するための期間において、１つの周波数におけるキャリアで送信または受信する一方、その後の期間において、別の周波数におけるキャリアで送信または受信する等に対応しうる。本明細書に記載されているように、ＵＥ１２０によって周波数ホッピングのために利用される周波数は、少なくとも、所与のサブフレームにおけるスロット間で異なりうる。これら周波数は、一例において、これら周波数の一部分がオーバラップしないように完全に直交しているか、これら周波数の一部分がオーバラップするように少なくとも部分的に直交している。別の例では、これら周波数は、隣接しうる。
【００５０】
一例において、ＵＥ１２０は、周波数ホッピング・モードで動作するか、または、ｅＮＢ１１０またはその他のネットワーク構成要素から非周波数ホッピング・モードで動作するかを示すインジケーションを受信しうる。このインジケーションは、例えばＰＤＣＣＨ、または、ＵＥ１２０によって受信されたその他のチャネル（例えば、システム情報を備えたブロードキャスト情報）のような制御チャネルにおいて、１または複数にビットを備える周波数ホッピング・ビットとして、ｅＮＢ１１０によって送信されうる。周波数ホッピング・フィールドを伝送するために、その他のシグナリングもまた同様に（例えば、高次レイヤにおいて）使用されうることが認識されるべきである。一例において、このインジケーションを受信することに少なくとも部分的に基づいて、ＵＥ１２０は、周波数ホッピングを実行することを決定し、所与のサブフレーム内の各スロットのために、プリコーディング・ベクトルを選択しうる。その結果、さらなる送信ダイバーシティを提供するために、スロット境界を越えて異なるプリコーディングとなる。他の例において、このようなインジケーションは、設定、ハードコーディング等で受信されうる。
【００５１】
ＵＥ１２０は、本明細書で説明されているように、開ループ送信ダイバーシティを備えたＰＶＳを使用しうる。開ループ動作の場合、ネットワークは、ＵＥ１２０からのフィードバックに基づいてプリコーダ行列を選択しない。さらに、受信しているｅＮＢ１１０は、プリコーダ構成に関するレポートを、ＵＥ１２０から受信しない。すなわち、所与のサブフレームの１または複数のスロットにおいてＵＥ１２０によって使用されているプリコーディング・ベクトルは、データ・チャネル（例えばＰＵＳＣＨ）送信を受信しているｅＮＢ１１０に透過的である。したがって、ｅＮＢ１１０は、受信したデータ・チャネルを復号および復調するために、２つのプリコーディング・ベクトルを知っている必要はない。その代わりに、ＵＥは、（例えば、予め定義された、または、決定論的な設定にしたがって）前もってプリコーダ行列を選択しうる。
【００５２】
別の例では、ＵＥ１２０は、これを示すインジケーションを受信すると、周波数ホッピングを実行しない（例えば、非周波数ホッピング・モードで動作する）ことを決定しうる。この例において、ＵＥ１２０は、所与のサブフレームの複数のスロットにおいて、送信をプリコードするために、同様のプリコーディング・ベクトルを使用しうる。しかしながら、一例において、ＵＥ１２０は、サブフレーム間で周波数をホップさせうるか、および／または、サブフレームにおいて、異なるおよび／または直交したプリコーディング・ベクトルを使用しうる。その後のサブフレームで通信される送信は、前のサブフレーム送信の再送信でありうるが、異なるプリコーディング・ベクトルおよび／または周波数ホッピングを使用しうる。これは、（例えば、再送信の周波数が、さほど干渉を受けず）再送信の品質を向上しうる。
【００５３】
さらに、ＵＥ１２０は、チャネル相関の尺度（例えば、チャネル相関値）のような動作基準に基づいて、所与のスロットおよび／またはサブフレームのためのプリコーディング・ベクトルを選択しうる。例えば、相関チャネルの場合、ＵＥ１２０は、１つのスロットまたはサブフレームから次のスロットまたはサブフレームへと、使用されるプリコーディング・ベクトルを変更しうる。１つの態様では、前述したように、ＵＥ１２０におけるプリコーディング・ベクトルの選択は、受信しているｅＮＢ１１０に対して透過的でありうる。別の例では、ＵＥ１２０は、例えば固定または設定されたパターン、ランダムなパターン、１または複数の態様に基づく準ランダムなパターン（例えば、ＵＥ１２０の識別子）、等のように、期間にわたる１または複数のパターンにしたがって、プリコーディング・ベクトルを選択しうる。例えば、ＵＥ１２０は、例えば、［１、ｅｘｐ｛ｊａ｝，ｅｘｐ｛ｊｂ｝，・・・］のようなプリコーディング・ベクトルを使用しうる。ここで、ａ，ｂ，・・・は、期間にわたってホップしうるフェーズである。
【００５４】
１つの態様では、ＵＥ１２０がプリコーディング・ベクトルを選択するＰＶＳスキームの結果、アンテナ仮想化となりうる。これによって、ＵＥ１２０は、複数の物理アンテナを介して、単一のアンテナ・ポート・モードで効率的に送信できるようになる。１つの態様では、ＵＥ１２０は、送信ダイバーシティ・ベースの送信のために、フル電力を使用できるようになりうる。１つの態様では、相互直交化によって、例えばフェージング、アンテナ利得不均衡（ＡＧＩ）等のような、１つのアンテナのアンテナ特性は、他のアンテナからの送信の品質に悪影響を与えない。
【００５５】
図７に示すように、リソース・ブロック（ＲＢ）割当７００は、（例えば、ＰＤＣＣＨにおける対応する周波数ホッピング・フィールドがゼロに設定されていることにより）ＰＵＳＣＨ送信において周波数ホッピングが実行されない場合における例を示す。送信のために使用される周波数リソースは、時間を表す水平軸７０１と、周波数を表す垂直軸７０３とに沿ってプロットされている。
【００５６】
ＲＢ割当７００について見られるように、スロット０  ７０４において割り当てられた送信リソース７０８と、スロット１  ７０６において割り当てられた送信リソース７１０とは、（例えば、周波数ホッピングがオフされた場合）同じ周波数を占有しうる。スロット０  ７０４およびスロット１  ７０６は、単一のサブフレームを占有しうる。いくつかの設計では、サブフレームにおけるスロット０  ７０４とスロット１  ７０６との両方におけるＰＵＳＣＨ送信のために、同じプリコーディング・ベクトル［ａ，ｂ］Ｔが使用されうる。１つの態様では、同じプリコーディング・ベクトルを用いることは、改善された受信利得を得るために２スロットにわたってパイロット信号を平均化することを支援しうる。
【００５７】
ＲＢ割当７２０に示すように、ＰＵＳＣＨが周波数ホッピングで送信される場合、リソース・ブロック７２８は、スロット０  ７２４においてＰＵＳＣＨ送信へ割り当てられ、別の周波数を占有するリソース・ブロック７３０は、スロット１  ７２６においてＰＵＳＣＨへ割り当てられる。いくつかの設計では、異なるスロットにおける送信は、スロット０  ７２４では［ａ，ｂ］Ｔ、スロット１  ７２６では［ｃ，ｄ］Ｔのように、互いに直交する、あるいは、少なくとも異なっているプリコーディング・ベクトルを用いて実行されうる。いくつかの設計では、入力ａ，ｂ，ｃ，ｄは、任意の実数または複素数を表しうる。前述したように、ＲＢ割当７２０では、このような周波数ホッピングを用いた結果、スロット０とスロット１との間の周波数リソースの割当が直交化され（オーバラップせず）、さらに、スロットにわたるプリコーディングのためのＰＶＳを用いることが、別のレイヤの送信ダイバーシティを与えることが認識されるだろう。
【００５８】
図８−９は、サブフレームのスロットによるデータ通信を送信することに関連する方法の例を例示する。説明の単純性の目的のために、これら方法が一連の動作として図示および説明されるが、いくつかの動作は、１または複数の実施形態にしたがって、本明細書に図示および記載されたものとは異なる順序で、および／または、本明細書に図示および記載されたものとは異なる動作と同時に、引き起こりうるので、これら方法が、動作の順序によって制限されないことが理解および認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００５９】
図８は、無線通信の方法８００のフローチャート表示である。
【００６０】
ブロック８０２では、周波数ホッピング・モードで動作するか否かが決定されうる。例えば、これは、ＵＥ１２０が、周波数ホッピング・モードを使用するか否かを指定するインジケータを（例えば、ＰＤＣＣＨ送信を介して、または、１または複数の通信レイヤにおけるその他のシグナリングを介して）ｅＮＢ１１０から受信することを含みうる。例えば、これは、周波数ホッピング・モードで動作するか否かを指定する単一ビットを備える、チャネル内のフィールドでありうる。その他の例では、このフィールドは、複数のビットを備えうる。さらに、例えばプロセッサ３８０のようなプロセッサは、周波数ホッピング・モードで動作するか否かを決定することを実行しうる。この例では、対応するＰＤＣＣＨにおける単一ビットの周波数ホッピング・フィールドが１に設定されている場合、周波数ホッピングは、ＰＵＳＣＨ送信のためにイネーブルされうる。ＵＥ１２０は、その後、第１の周波数において、第１のスロットであるスロット０  ７２４でＰＵＳＣＨを送信し、その後、第１のスロットと、第２のスロットであるスロット１  ７２６との間のスロット境界において、周波数を切り換え、第２の周波数において、第２のスロットであるスロット１  ７２６でＰＵＳＣＨを送信しうる。さらに、ＰＵＳＣＨ送信のためのプリコーディング・ベクトルは、サブフレーム内でスロットからスロットへとホップしうる。対応するＰＤＣＣＨにおける単一ビットの周波数ホッピング・フィールドが１に設定されてる場合、ＰＵＳＣＨを送信するために、スロット・レベルにおいて周波数を変更することに加えて、スロット・レベルにおいてＰＶＳベクトルを変更することは、さらなる送信ダイバーシティを提供する。
【００６１】
ブロック８０４では、周波数ホッピング・モードで動作するか否かが決定されることに基づいて、第１の複数のプリコーディング・ベクトルを用いて、第１のサブフレームの１または複数のスロットによって、第１のサブフレームで、第１の複数のデータ送信がなされうる。例えば、ＵＥ１０２が、周波数ホッピング・モードで動作すると決定した場合、第１のサブフレームのスロットのうちの異なるスロットのために、異なるプリコーディング・ベクトルが選択されうる。さらに、この例において、ＰＶＳは、スロットを介してデータ送信を行う際に、異なるプリコーディング・ベクトルを適用するために使用されうる。これは、異なるプリコーディング・ベクトルを用いて、第１のサブフレームのスロットにおける異なる周波数による、例えばＰＵＳＣＨ送信のようなデータ送信という結果となりうる。第１のスロットでは、ＵＥ１２０は、第１のプリコーディング・ベクトルを用いて、第１の周波数でＰＵＳＣＨを送信しうる。次に、第２のスロット切換を伴うスロット境界では、ＵＥ１２０が、第２の周波数にホップするか、および／または、第２のプリコーディング・ベクトルへホップしうる。そして、第２のプリコーディング・ベクトルを用いて、第２の周波数でＰＵＳＣＨを送信しうる。一例では、プリコーディング・ベクトルは、直交しうるので、異なる周波数で、直交信号を送信するという結果となる。例えば、ＵＥ１２０が、非周波数ホッピング・モードで動作すると決定した場合、使用されるプリコーディング・ベクトルは、第１のサブフレームのスロットにわたって同じでありうる。
【００６２】
オプションとして、ブロック８０６では、周波数ホッピング・モードで動作すると決定されたか否かに基づいて、第１の複数のプリコーディング・ベクトルとは異なる第２の複数のプリコーディング・ベクトルを用いて、第２のサブフレームの１または複数のスロットを介して、第２の複数のデータ送信が、第２のサブフレームで送信されうる。説明されているように、ＵＥ１２０が周波数ホッピング・モードまたは非周波数ホッピング・モードで動作するかを決定することに基づいて、異なるプリコーディング・ベクトル、直交するプリコーディング・ベクトル、または同じプリコーディング・ベクトルが、第２のサブフレームにおけるスロットにわたって使用されうる。さらに、例えば、サブフレームにわたって使用されるプリコーディング・ベクトルもまた同様に、異なりうるか、および／または、直交しうる。送信することは、例えば、１または複数の送信機によって、あるいは、例えば送信プロセッサ３６４、ＴＸ  ＭＩＭＯプロセッサ３６６、アンテナ３５２ａ等のようなＵＥ１２０の関連する構成要素によって実行されうる。
【００６３】
図９は、無線通信の方法９００のフローチャート表示である。
【００６４】
ブロック９０２では、周波数ホッピング・モードで動作するか否かが決定されうる。例えば、これは、説明されているように、ＵＥ１２０がｅＮＢ１１０から（例えば、制御チャネル送信を介したビットまたは他のフィールドで）インジケータを受信することに基づきうる。この決定を行うために、プロセッサ３８０のようなプロセッサが使用されうる。
【００６５】
周波数ホッピング・モードで動作すると決定された場合、オプションとして、ブロック９０４において、サブフレームのスロットにわたって、信号をプリコードするための複数の異なるプリコーディング・ベクトルが選択されうる。例えば、説明されているように、ＰＶＳ、（例えば、相関付けられたチャネルのために同様のプリコーディング・ベクトルを用いた）チャネル相関値、１または複数のパターン等を用いることのうちの少なくとも１つによって、部分的に、複数の異なるプリコーディング・ベクトルが選択されうる。何れの場合であれ、所与のスロットのプリコーディング・ベクトルは、サブフレーム内の別のスロットのプリコーディング・ベクトルと直交しうる。説明されているように、これは、送信ダイバーシティを提供しうる。さらに、例えばプロセッサ３８０のようなプロセッサは、一例において、この選択を実行しうる。
【００６６】
ブロック９０６では、サブフレームの１または複数のスロットを周波数ホッピングすること、および、１または複数のスロットのおのおのについて複数の異なるプリコーディング・ベクトルを使用することによって、複数のデータ送信が、サブフレームで実施されうる。例えば、複数の異なるプリコーディング・ベクトルは、オプションのブロック９０４において選択されたものでありうるか、そうでなければ、周波数ホッピングのために取得されたものでありうる。複数の異なるプリコーディング・ベクトルは、おのおののスロットについて変動しうる。そして、一例では、サブフレーム内の他のスロットのプリコーディング・ベクトルと直交しうる。
【００６７】
周波数ホッピング・モードで動作しないと決定された場合、９０８において、複数のデータ送信が、サブフレームにおける１または複数のスロットにおいて、同じ複数のプリコーディング・ベクトルを用いて、サブフレームで送信されうる。前述されたように、同じ複数のプリコーディング・ベクトルが受信されうるか、そうでない場合には決定されうる。さらに、何れの場合であれ、プリコーディング・ベクトルは、その後のサブフレームにおいて変動しうる。送信することは、例えば、１または複数の送信機によって、あるいは、例えば送信プロセッサ３６４、ＴＸ  ＭＩＭＯプロセッサ３６６、アンテナ３５２ａ等のようなＵＥ１２０の関連する構成要素によって実行されうる。
【００６８】
図１０は、周波数ホッピング・モードで動作すべきか否かを決定するためのモジュール１００２と、周波数ホッピング・モードで動作するように決定されたか否かに基づいて、第１の複数のプリコーディング・ベクトルを用いて、第１の複数のデータ送信を、第１のサブフレームにおいて、第１のサブフレームの１または複数のスロットを介して送信するためのモジュール１００４と、を備える無線通信装置１０００の一部のブロック図表示である。装置１０００はまた、オプションとして、周波数ホッピング・モードで動作するように決定されたか否かに基づいて、第１の複数のプリコーディング・ベクトルとは異なる第２の複数のプリコーディング・ベクトルを用いて、第２の複数のデータ送信を、第２のサブフレームにおいて、第２のサブフレームの１または複数のスロットを介して送信するためのモジュール１００６を含む。この装置１０００はさらに、第１の複数のプリコーディング・ベクトルおよび／または第２の複数のプリコーディング・ベクトルを選択するためのオプションのモジュール１００８を含む。例えば、モジュール１００８は、ＰＶＳ、チャネル相関値、パターン等に部分的に基づいて選択しうる。さらに、モジュール１００８は、説明されているように、周波数ホッピング・モードで動作している場合、第１のサブフレームにおける異なるスロットのために、異なるおよび／または直交する第１の複数のプリコーディング・ベクトルを選択しうる。他の例において、モジュール１００４は、１または複数の設定、ハードコーディング等から、このような特性を有する第１の複数のプリコーディング・ベクトルを取得、あるいは、生成しうる。
【００６９】
装置１０００はまた、モジュール１００２，１００４，１００６，１００８が実現されうるメモリ１０１０を含んでいる。さらに、または、その代わりに、メモリ１０１０は、モジュール１００２，１００４，１００６，１００８を実行するための命令群、モジュール１００２，１００４，１００６，１００８に関連するパラメータ等を含みうる。この装置１０００はさらに、本明細書に記載されたさまざまな技術を実施しうる。一例において、装置１０００は、本明細書に記載された技術を実行するためのさらなる構成要素（例えば、送信またはその他の通信等を実行するための、関連付けられた命令群を実行するためのプロセッサ３８０、送信プロセッサ３６４、ＴＸ  ＭＩＭＯプロセッサ３６６、アンテナ３５２ａ等）を備えたＵＥ１２０を含みうる。
【００７０】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７１】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７２】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７３】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７４】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７５】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
[１]  無線データ通信のための方法であって、受信された周波数ホッピング値に基づいて、周波数ホッピング・モードで動作するか否かを決定することと、前記周波数ホッピング・モードで動作するように決定されたか否かに基づいて、第１の複数のプリコーディング・ベクトルを用いて、第１の複数のデータ送信を、第１のサブフレームにおいて、前記第１のサブフレームの１または複数のスロットを介して送信することと、を備える方法。
[２]  前記決定することは、前記周波数ホッピング・モードで動作すると決定することを備え、前記第１の複数のプリコーディング・ベクトルは、前記１または複数のスロットで異なる、[１]に記載の方法。
[３]  少なくとも、前記第１の複数のプリコーディング・ベクトルは、前記１または複数のスロットで直交している、[２]に記載の方法。
[４]  前記１または複数のスロットにおいて、前記第１の複数のプリコーディング・ベクトル間を切り換えることをさらに備える、[２]に記載の方法。
[５]  前記１または複数のスロットにおいて、前記第１の複数のプリコーディング・ベクトル間を切り換えることは、前記１または複数のスロットにおける第１のスロットから、前記１または複数のスロットにおける第２のスロットへプリコーディング・ベクトルをホップさせることを備え、前記受信された周波数ホッピング値は、対応する物理ダウンリンク制御チャネル（ＰＤＣＣＨ）における周波数ホッピング・フィールド内に少なくとも１ビットを備える、[４]に記載の方法。
[６]  少なくともチャネル相関値に基づいて、少なくとも前記第１の複数のプリコーディング・ベクトルを選択すること、をさらに備える[２]に記載の方法。
[７]  少なくとも１または複数のパターンに基づいて、少なくとも前記第１の複数のプリコーディング・ベクトルを選択すること、をさらに備える[２]に記載の方法。
[８]  前記決定することは、前記周波数ホッピング・モードで動作しないと決定することを備え、前記第１の複数のプリコーディング・ベクトルは、前記１または複数のスロットにわたって同じである、[１]に記載の方法。
[９]  前記周波数ホッピング・モードで動作するように決定されたか否かに基づいて、前記第１の複数のプリコーディング・ベクトルとは異なる第２の複数のプリコーディング・ベクトルを用いて、第２の複数のデータ送信を、第２のサブフレームにおいて、前記第２のサブフレームの１または複数のスロットを介して送信すること、をさらに備える[１]に記載の方法。
[１０]  前記第１の複数のデータ送信を実施することと、前記第２の複数のデータ送信を実施することとは、物理アップリンク共有チャネル（ＰＵＳＣＨ）を送信することを備える、[９]に記載の方法。
[１１]  前記第１の複数のデータ送信を実施することと、前記第２の複数のデータ送信を実施することとは、前記第２の複数のプリコーディング・ベクトルに直交する前記第１の複数のプリコーディング・ベクトルに基づく直交送信を備える、[９]に記載の方法。
[１２]  前記受信された周波数ホッピング値は、対応する物理ダウンリンク制御チャネル（ＰＤＣＣＨ）における周波数ホッピング・フィールド内に少なくとも１ビットを備える、[１]に記載の方法。
[１３]  送信ダイバーシティを用いて無線で送信するための装置であって、受信された周波数ホッピング値に基づいて、周波数ホッピング・モードで動作するか否かを決定する手段と、前記決定する手段が、周波数ホッピング・モードで動作するように決定したか否かに基づいて、第１の複数のプリコーディング・ベクトルを用いて、第１の複数のデータ送信を、第１のサブフレームにおいて、前記第１のサブフレームの１または複数のスロットを介して送信する手段とを備える装置。
[１４]  前記決定する手段は、前記周波数ホッピング・モードで動作すると決定し、前記第１の複数のプリコーディング・ベクトルは、前記１または複数のスロットで異なる、[１３]に記載の装置。
[１５]  少なくとも、前記第１の複数のプリコーディング・ベクトルは、前記１または複数のスロットで直交している、[１４]に記載の装置。
[１６]  前記１または複数のスロットにおいて、前記第１の複数のプリコーディング・ベクトル間を切り換える手段、をさらに備える[１４]に記載の装置。
[１７]  前記１または複数のスロットにおいて、前記第１の複数のプリコーディング・ベクトル間を切り換える手段は、前記１または複数のスロットにおける第１のスロットから、前記１または複数のスロットにおける第２のスロットへプリコーディング・ベクトルをホップさせ、前記受信された周波数ホッピング値は、対応する物理ダウンリンク制御チャネル（ＰＤＣＣＨ）における周波数ホッピング・フィールド内に少なくとも１ビットを備える、[１６]に記載の装置。
[１８]  少なくともチャネル相関値に基づいて、少なくとも前記第１の複数のプリコーディング・ベクトルを選択する手段、をさらに備える[１４]に記載の装置。
[１９]  少なくとも１または複数のパターンに基づいて、少なくとも前記第１の複数のプリコーディング・ベクトルを選択する手段、をさらに備える[１４]に記載の装置。
[２０]  前記決定する手段は、前記周波数ホッピング・モードで動作しないと決定し、
前記第１の複数のプリコーディング・ベクトルは、前記１または複数のスロットにわたって同じである、[１３]に記載の装置。
[２１]  前記決定する手段が、前記周波数ホッピング・モードで動作するように決定したか否かに基づいて、前記第１の複数のプリコーディング・ベクトルとは異なる第２の複数のプリコーディング・ベクトルを用いて、第２の複数のデータ送信を、第２のサブフレームにおいて、前記第２のサブフレームの１または複数のスロットを介して送信する手段、をさらに備える[１３]に記載の装置。
[２２]  前記第１の複数のデータ送信を実施することと、前記第２の複数のデータ送信を実施することとは、物理アップリンク共有チャネル（ＰＵＳＣＨ）送信を備える、[２１]に記載の装置。
[２３]  前記第１の複数のデータ送信を実施することと、前記第２の複数のデータ送信を実施することとは、前記第２の複数のプリコーディング・ベクトルに直交する前記第１の複数のプリコーディング・ベクトルに基づく直交送信を備える、[２１]に記載の装置。
[２４]  前記受信された周波数ホッピング値は、対応する物理ダウンリンク制御チャネル（ＰＤＣＣＨ）における周波数ホッピング・フィールド内に少なくとも１ビットを備える、[１３]に記載の装置。
[２５]  送信ダイバーシティを用いて無線で送信するためのコンピュータ・プログラム製品であって、少なくとも１つのコンピュータに対して、受信された周波数ホッピング値に基づいて、周波数ホッピング・モードで動作するか否かを決定させるためのコードと、前記少なくとも１つのコンピュータに対して決定させるためのコードが、前記周波数ホッピング・モードで動作するように決定したか否かに基づいて、前記少なくとも１つのコンピュータに対して、第１の複数のプリコーディング・ベクトルを用いて、第１の複数のデータ送信を、第１のサブフレームにおいて、前記第１のサブフレームの１または複数のスロットを介して送信させるためのコードと、を備える非一時的なコンピュータ読取可能な媒体を備える、コンピュータ・プログラム製品。
[２６]  前記少なくとも１つのコンピュータに対して決定させるためのコードは、前記周波数ホッピング・モードで動作することを決定し、前記第１の複数のプリコーディング・ベクトルは、前記１または複数のスロットで異なる、[２５]に記載のコンピュータ・プログラム製品。
[２７]  少なくとも、前記第１の複数のプリコーディング・ベクトルは、前記１または複数のスロットで直交している、[２６]に記載のコンピュータ・プログラム製品。
[２８]  前記コンピュータ読取可能な媒体はさらに、前記少なくとも１つのコンピュータに対して、前記１または複数のスロットにおいて、前記第１の複数のプリコーディング・ベクトル間を切り換えさせるためのコードを備える、[２６]に記載のコンピュータ・プログラム製品。
[２９]  前記少なくとも１つのコンピュータに対して、前記１または複数のスロットにおいて、前記第１の複数のプリコーディング・ベクトル間を切り換えさせるためのコードは、前記１または複数のスロットにおける第１のスロットから、前記１または複数のスロットにおける第２のスロットへプリコーディング・ベクトルをホップさせ、前記受信された周波数ホッピング値は、対応する物理ダウンリンク制御チャネル（ＰＤＣＣＨ）における周波数ホッピング・フィールド内に少なくとも１ビットを備える、[２８]に記載のコンピュータ・プログラム製品。
[３０]  前記コンピュータ読取可能な媒体はさらに、前記少なくとも１つのコンピュータに対して、少なくともチャネル相関値に基づいて、少なくとも前記第１の複数のプリコーディング・ベクトルを選択させるためのコードを備える、[２６]に記載のコンピュータ・プログラム製品。
[３１]  前記コンピュータ読取可能な媒体はさらに、前記少なくとも１つのコンピュータに対して、少なくとも１または複数のパターンに基づいて、少なくとも前記第１の複数のプリコーディング・ベクトルを選択させるためのコードを備える、[２６]に記載のコンピュータ・プログラム製品。
[３２]  前記少なくとも１つのコンピュータに対して決定させるためのコードは、前記周波数ホッピング・モードで動作しないことを決定し、前記第１の複数のプリコーディング・ベクトルは、前記１または複数のスロットにわたって同じである、[２５]に記載のコンピュータ・プログラム製品。
[３３]  前記コンピュータ読取可能な媒体はさらに、前記少なくとも１つのコンピュータに対して決定させるためのコードが、前記周波数ホッピング・モードで動作するように決定したか否かに基づいて、前記少なくとも１つのコンピュータに対して、前記第１の複数のプリコーディング・ベクトルとは異なる第２の複数のプリコーディング・ベクトルを用いて、第２の複数のデータ送信を、第２のサブフレームにおいて、前記第２のサブフレームの１または複数のスロットを介して送信させるためのコードを備える、[２５]に記載のコンピュータ・プログラム製品。
[３４]  前記第１の複数のデータ送信と、前記第２の複数のデータ送信とは、物理アップリンク共有チャネル（ＰＵＳＣＨ）送信を備える、[３３]に記載のコンピュータ・プログラム製品。
[３５]  前記第１の複数のデータ送信と、前記第２の複数のデータ送信とは、前記第２の複数のプリコーディング・ベクトルに直交する前記第１の複数のプリコーディング・ベクトルに基づく直交送信を備える、[３３]に記載のコンピュータ・プログラム製品。
[３６]  前記受信された周波数ホッピング値は、対応する物理ダウンリンク制御チャネル（ＰＤＣＣＨ）における周波数ホッピング・フィールド内に少なくとも１ビットを備える、[２５]に記載のコンピュータ・プログラム製品。
[３７]  アップリンク送信ダイバーシティをサポートするユーザ機器（ＵＥ）であって、少なくとも１つのプロセッサと、前記少なくとも１つのプロセッサに接続されたメモリとを備え、前記少なくとも１つのプロセッサは、受信された周波数ホッピング値に基づいて、周波数ホッピング・モードで動作するか否かを決定し、前記少なくとも１つのプロセッサが、前記周波数ホッピング・モードで動作するように決定したか否かに基づいて、第１の複数のプリコーディング・ベクトルを用いて、第１の複数のデータ送信を、第１のサブフレームにおいて、前記第１のサブフレームの１または複数のスロットを介して送信するように構成された、ユーザ機器。
[３８]  前記少なくとも１つのプロセッサは、前記周波数ホッピング・モードで動作すると決定し、前記第１の複数のプリコーディング・ベクトルは、前記１または複数のスロットで異なる、[３７]に記載のユーザ機器。
[３９]  少なくとも、前記第１の複数のプリコーディング・ベクトルは、前記１または複数のスロットで直交している、[３８]に記載のユーザ機器。
[４０]  前記少なくとも１つのプロセッサはさらに、前記１または複数のスロットにおいて、前記第１の複数のプリコーディング・ベクトル間を切り換えるように構成された、[３８]に記載のユーザ機器。
[４１]  前記少なくとも１つのプロセッサは、前記１または複数のスロットにおける第１のスロットから、前記１または複数のスロットにおける第２のスロットへプリコーディング・ベクトルをホップさせることによって、前記１または複数のスロットで、前記第１の複数のプリコーディング・ベクトル間を切り換え、前記受信された周波数ホッピング値は、対応する物理ダウンリンク制御チャネル（ＰＤＣＣＨ）における周波数ホッピング・フィールド内に少なくとも１ビットを備える、[４０]に記載のユーザ機器。
[４２]  前記少なくとも１つのプロセッサはさらに、少なくともチャネル相関値に基づいて、少なくとも前記第１の複数のプリコーディング・ベクトルを選択するように構成された、[３８]に記載のユーザ機器。
[４３]  前記少なくとも１つのプロセッサはさらに、少なくとも１または複数のパターンに基づいて、少なくとも前記第１の複数のプリコーディング・ベクトルを選択するように構成された、[３８]に記載のユーザ機器。
[４４]  前記少なくとも１つのプロセッサは、前記周波数ホッピング・モードで動作しないと決定し、前記第１の複数のプリコーディング・ベクトルは、前記１または複数のスロットにわたって同じである、[３７]に記載のユーザ機器。
[４５]  前記少なくとも１つのプロセッサはさらに、前記少なくとも１つのプロセッサが、前記周波数ホッピング・モードで動作すると決定したか否かに基づいて、前記第１の複数のプリコーディング・ベクトルとは異なる第２の複数のプリコーディング・ベクトルを用いて、第２の複数のデータ送信を、第２のサブフレームにおいて、前記第２のサブフレームの１または複数のスロットを介して送信するように構成された、[３７]に記載のユーザ機器。
[４６]  前記第１の複数のデータ送信と、前記第２の複数のデータ送信とは、物理アップリンク共有チャネル（ＰＵＳＣＨ）送信を備える、[４５]に記載のユーザ機器。
[４７]  前記第１の複数のデータ送信と、前記第２の複数のデータ送信とは、前記第２の複数のプリコーディング・ベクトルに直交する前記第１の複数のプリコーディング・ベクトルに基づく直交送信を備える、[４５]に記載のユーザ機器。
[４８]  前記受信された周波数ホッピング値は、対応する物理ダウンリンク制御チャネル（ＰＤＣＣＨ）における周波数ホッピング・フィールド内に少なくとも１ビットを備える、[３７]に記載のユーザ機器。
【図１】
0005745082.tif 000002
【図２】
0005745082.tif 000003
【図３】
0005745082.tif 000004
【図４Ａ】
0005745082.tif 000005
【図４Ｂ】
0005745082.tif 000006
【図５】
0005745082.tif 000007
【図６】
0005745082.tif 000008
【図７】
0005745082.tif 000009
【図８】
0005745082.tif 000010
【図９】
0005745082.tif 000011
【図１０】
0005745082.tif 000012